(57)【要約】【課題】使用のための煩雑な手順を省略し、その確実な使用を促進することで安全な避難を可能とする、構造が単純で製造コストも安くコンパクトな緊急避難用防煙具を提供する。【解決手段】火災発生時に頭から被ることで煙の吸い込みを防止するための防煙袋(12)および該防煙袋を取り出し自在に収納する収納ケース(14)からなる緊急避難用防煙具(10)であって、前記防煙袋にはツマミ(16)が設けられ、また前記収納ケースには収納した防煙袋を取り出すための取出口(18)が形成されており、前記防煙袋は、前記取出口から前記ツマミを露出させた状態で収納ケースに収納され、火災発生時には前記ツマミを摘んで引っ張ることで防煙袋は広げられた状態で収納ケースから取り出される。ここで前記防煙袋には、これを立体的に押し広げるための柔軟性および復元性に富んだ芯材(24)がその表面に設けられている。【選択図】図４
2008167989.tif 000002
【特許請求の範囲】
【請求項１】
火災発生時に頭から被ることで煙の吸い込みを防止するための防煙袋（１２）および該防煙袋を取り出し自在に収納する収納ケース（１４）からなる緊急避難用防煙具（１０）であって、
前記防煙袋にはツマミ（１６）が設けられ、また前記収納ケースには収納した防煙袋を取り出すための取出口（１８）が形成されており、
前記防煙袋は、前記取出口から前記ツマミを露出させた状態で収納ケースに収納され、火災発生時には前記ツマミを摘んで引っ張ることで防煙袋は広げられた状態で収納ケースから取り出される、ことを特徴とする緊急避難用防煙具。
【請求項２】
前記ツマミ（１６）は、防煙袋（１２）を頭から被った際に頭頂部側に位置することとなる閉口端（１２ａ）に設けられる、ことを特徴とする請求項１に記載の緊急避難用防煙具。
【請求項３】
前記防煙袋（１２）には、これを立体的に押し広げるための柔軟性および復元性に富んだ芯材（２４）がその表面に設けられている、ことを特徴とする請求項１又は２に記載の緊急避難用防煙具。
【請求項４】
前記芯材（２４）は開口端（１２ｂ）の縁又はその近傍に設けられた環状枠である、ことを特徴とする請求項３に記載の緊急避難用防煙具。
【請求項５】
前記芯材（２４）は防煙袋（１２）の閉口端（１２ａ）中央において交差する十字枠等の放射状枠である、ことを特徴とする請求項３に記載の緊急避難用防煙具。
【請求項６】
前記防煙袋（１２）には、開口端（１２ｂ）側を巾着状に絞るための帯状体（２６）が設けられている、ことを特徴とする請求項１乃至５のいずれか一項に記載の緊急避難用防煙具。
【請求項７】
前記防煙袋（１２）の開口端（１２ｂ）には、避難者の肩を覆うためのフード（２８）が設けられている、ことを特徴とする請求項１乃至６のいずれか一項に記載の緊急避難用防煙具。
【請求項８】
前記収納ケース（１４）の一面にはこれを椅子の座部の裏面等の構造物に取り付けるための着脱自在テープ又は両面テープ（３２）が接着されている、ことを特徴とする請求項１乃至７のいずれか一項に記載の緊急避難用防煙具。
【発明の詳細な説明】
【技術分野】
【０００１】
本発明は、火災発生時に頭から被ることで煙を吸い込むことなく避難するための緊急避難用防煙具に関する。
【背景技術】
【０００２】
近年、住居用マンション、雑居ビル、ホテル、ショッピングセンターなどの建物では施設の高層化が進んでいる。このような施設で一端火災が発生すると、下層階から上層階へ流れて避難経路等に立ち込めた煙が避難の障害となり、甚大な被害をもたらすことがあった。また映画館、劇場、地下街のレストランやティーラウンジのように人が多数集まる場所などでは立ち込めた煙によるパニックによって円滑な避難が妨げられ、大きな被害が発生する虞もある。
ここで火災による被害は、炎によるものよりも、火災によって発生した煙や有毒ガスを吸い込むことによる呼吸困難や失神に起因するものが圧倒的に多いといった事実がある。
【０００３】
従来から避難時には、１〜３分程度の間煙を吸い込むことなく移動することができれば、その生存率は飛躍的に上昇するといわれている。そのためこれまでも例えば特許文献１のように、避難時に頭部に被ることで煙を吸い込むことなく避難するための袋体である「防煙用フード」などの避難用の防煙袋も発案されている。
【特許文献１】特開平１０−３３７００号公報
【発明の開示】
【発明が解決しようとする課題】
【０００４】
しかしながら上述したような避難用の防煙袋の使用に際しては、１）折り畳まれた状態で収納袋に入れられた袋体を取り出し、２）折り畳まれた袋体を広げ、３）袋体の開口部を探し、４）袋体の開口部を両手で広げた後に上下に振ることで袋体の中に空気を入れて充分に膨らませ、５）これを頭から被り、６）首の部分で袋体の開口端を絞る、以上の動作が必要となるが、火災発生の緊急時には避難者（使用者）は気が動転していることが多く、上記の全ての動作を滞りなく行うことは実際上極めて困難であるのが実情であった。
【０００５】
このように従来の避難用の防煙袋ではその使用に煩雑な動作を伴うため、その使用が正しい手順で行われないと、防煙袋の使用が不可能になったり、避難中に袋内の酸素が足りなくなる虞があり、不適切な使用は人命に関わるといった問題があった。また、暗所などでは防煙袋を直ちに探し出して手に取ることが困難なことも予想される。またこのような防煙袋は収納時にはコンパクトに収納できるものであることが必要となる。
【０００６】
本発明は上記問題点を解決するためになされたもので、その目的は、使用のための煩雑な手順を省略し、その確実な使用を促進することで安全な避難を可能とする、構造が単純で製造コストも安くコンパクトな緊急避難用防煙具を提供することにある。
【課題を解決するための手段】
【０００７】
上記問題を解決するため本発明は、火災発生時に頭から被ることで煙の吸い込みを防止するための防煙袋（１２）および該防煙袋を取り出し自在に収納する収納ケース（１４）からなる緊急避難用防煙具（１０）であって、前記防煙袋にはツマミ（１６）が設けられ、また前記収納ケースには収納した防煙袋を取り出すための取出口（１８）が形成されており、前記防煙袋は、前記取出口から前記ツマミを露出させた状態で収納ケースに収納され、火災発生時には前記ツマミを摘んで引っ張ることで防煙袋は広げられた状態で収納ケースから取り出される、ことを特徴とする緊急避難用防煙具を提供する。
【０００８】
ここで、前記ツマミ（１６）は、防煙袋（１２）を頭から被った際に頭頂部側に位置することとなる閉口端（１２ａ）に設けられることが好ましい。
【０００９】
また、前記防煙袋（１２）には、これを立体的に押し広げるための柔軟性および復元性に富んだ芯材（２４）がその表面に設けられていることが好ましい。より具体的には、前記芯材（２４）は開口端（１２ｂ）の縁又はその近傍に設けられた環状枠であるか、防煙袋（１２）の閉口端（１２ａ）中央において交差する十字枠等の放射状枠であるものとする。
【００１０】
また、前記防煙袋（１２）には、開口端（１２ｂ）側を巾着状に絞るための帯状体（２６）が設けられていることも好ましい。
【００１１】
さらに、前記防煙袋（１２）の開口端（１２ｂ）には、避難者の肩を覆うためのフード（２８）が設けられていることも好ましい。
【００１２】
なお、前記収納ケース（１４）の一面にはこれを椅子の座部の裏面等の構造物に取り付けるための着脱自在テープ又は両面テープ（３２）が接着されている。
【発明の効果】
【００１３】
本発明の緊急避難用防煙具では、防煙袋にツマミを設け、ツマミが外部に露出するように収納ケースにコンパクトに収納するため、避難時にはこのツマミを摘んで収納ケースから防煙袋を引き出すと、直ちに防煙袋が引き伸ばされた状態で取り出される。そのため、後はこれに空気を取り入れるだけで直ちにこれを被り避難することができる。すなわち本発明の緊急避難用防煙具では、ツマミを摘んで引き出すだけで収納ケースから防煙袋を取り出すことができるため上記１）〜６）の動作のうち、比較的時間を要する１）および２）の動作を省略させ、防煙袋の迅速・確実な使用を促進することができる。
【００１４】
ここで防煙袋に、これを立体的に押し広げるための柔軟性および復元性に富んだ芯材を、例えば防煙袋の開口端又はその近傍に環状枠として設けたり、ツマミ近傍において交差するような十字枠又は多骨枠として設けることで、防煙袋は収納ケースから引き出されると同時にこの芯材の付勢力によって立体的に押し広げられることとなる。これにより上記３）の動作も省略することができ、避難者はさらに迅速かつ円滑に防煙袋を装着して避難することができる。
【００１５】
また防煙袋にその開口端を巾着状に絞るための帯状体を設けてやれば、避難者は頭から装着した防煙袋の開口端を確実に絞り、防煙袋内に取り入れた空気が外部に漏れ出ることや、外気（煙）が防煙袋内に侵入することを効果的に防止してやることができる。なお防煙袋の開口端を絞っていても両手が自由となるため、避難時にドアの開閉などの動作を滞りなく行うことができるようになる。
【００１６】
さらに防煙袋の開口端に避難者の肩を覆うためのフードを設けてやれば、避難時などにも肩等の部分を保護してやることができる。
【００１７】
なお収納ケースの一面に着脱自在テープや両面テープを接着しておいてやれば、座席の座部の裏面等の構造物への緊急避難用防煙具の取り付けを容易に行うことができる。
【発明を実施するための最良の形態】
【００１８】
本発明の緊急避難用防煙具は、火災発生時に頭から被ることで煙を吸い込むことなく避難するための道具であり、特に、火災が発生した緊急時において避難者の気が動転している中でも、その装着を簡便化することで迅速かつ確実な使用を促し安全な避難を可能とするものである。本発明の緊急避難用防煙具は防煙袋と、防煙袋を取り出し自在に収納する収納ケースとから構成されている。
以下、本発明の実施の形態を図面に基づいて説明する。
【実施例１】
【００１９】
図１は本実施例の緊急避難用防煙具を構成する防煙袋を広げた状態を示した斜視図である。
この防煙袋１２は柔軟性に富んだ不燃性（難燃性）で熱による変形を起こしにくい透明な樹脂からなり、一端を開口（開口端１２ｂ）し、他端を閉口（閉口端１２ａ）する袋本体１３および袋本体の閉口端１２ａの中心に突起するように設けられたツマミ１６とから構成されている。
【００２０】
袋本体１３は一端を蓋をするごとく閉口する筒形状袋、図に表したようなマチが形成されて閉口する袋、マチがなく単に二つ折りのごとく接着されて閉口する袋など種々のものを採用することができる。袋本体１３の大きさは、これを頭から被り首の部分で開口端１２ｂを絞った際に、袋本体１３の中に一定量の空気を保持できる大きさとなっている。具体的にはこの防煙袋１２は直径が４０ｃｍ程度（肩幅程度）、長さが５０ｃｍ程度で、これを頭から被った状態で避難者が２〜３分程度呼吸することができる量の空気を蓄えることができる大きさとなっている。
【００２１】
ツマミ１６は硬質樹脂材により製作された外径が３ｃｍ程度のリング形状をしたリング部１７と、リング部を支える板状の台座部１９とからなり、リング部１７と台座部１９とは一体成型されている。またリング部１７には人の指を容易に入れられる程度の大きさの穴が形成されている。なおツマミ１６は、台座部１９で袋本体１３の閉口端１２ａを挟み込むことで袋本体に取り付けられている。
【００２２】
図２は本実施例の緊急避難用防煙具を構成する収納ケース１４を分解した状態を示した斜視図である。
この収納ケース１４は硬質で不燃性（難燃性）で熱による変形を起こしにくい樹脂材料により製作された縦×横×高さが１０ｃｍ×１０ｃｍ×３ｃｍ程度の略直方体形状をしている。収納ケース１４は、本体をなす基部１４ａとこの基部１４ａの上面に被さる蓋部１４ｂとからなる。基部１４ａおよび蓋部１４ｂとはほぼ同一形状の枡型をしており、両者を組み合わせることで内部空間を有する略直方体形状の収納ケース１４が形成される。ここで基部１４ａと蓋部１４ｂとはその一辺を蝶番または薄肉の樹脂材料により接合されており、両者はこれを支点としてワニ口状に開閉可能となっている。なお両者を樹脂材料により接合する場合には、基部１４ａと蓋部１４ｂとを一体成型してやることが好ましい。さらにこの基部１４ａおよび蓋部１４ｂの接合辺と対向する辺（開口辺）の中間位置には、上述した防煙袋１２のツマミ１６のリング部１７を露出するための切り欠き１８ａが形成されている。この切り欠き１８ａはワニ口状に組み付けられる基部１４ａおよび蓋部１４ｂの開口部の中心位置にそれぞれ形成したされており、基部１４ａおよび蓋部１４ｂとを組み合わせることで縦×横が２ｃｍ×３ｃｍ程度の大きさの取出口１８をなすこととなる。また基部１４ａと蓋部１４ｂとは開口辺に設けたフック２１を用いて嵌合することができるようになっており、すなわち基部１４ａおよび蓋部１４ｂは組み合わせることで収納ケース１４を形成することとなる。
なお基部１４ａの底面には、収納ケース１４を椅子の座部の裏などの構造物に取り付けるための両面テープ３２（破線）が接着されている。
【００２３】
図３の側面断面図で示したように、開口端１２ｂ側から蛇腹状に折り畳まれた状態で（または防煙袋１２は開口端１２ｂ側から巻き取られた状態で）、かつ、収納ケース１４の取出口１８からツマミ１６のリング部１７が露出するようにして基部１４ａと蓋部１４ｂとの間に配置され、その後、基部および蓋部を開口辺のフック２１を用いて嵌合することで収納ケース内の内部空間に収容され、すなわち収納ケース１４内に収められる。
【００２４】
以上に説明した本実施例の緊急避難用防煙具１０は次のようにして使用される。
例えばオフィスや映画館などでは、緊急避難用防煙具１０を座席の座部の裏面（構造物）にこの緊急避難用防煙具１０のツマミ１６が座部の前側を向くようにして両面テープ３２で接着して常備しておく。火災が発生した場合に、緊急避難用防煙具１０を使用して避難しようとする者（避難者）は、まず着席した状態で股の間から座面裏側に手を伸ばし、防煙袋１２のツマミ１６に指を掛けてこれを手前側に引き抜くようにする。この動作により収納ケース１４内に収められた防煙袋１２は、収納ケース１４の取出口１８から引き出される。なお防煙袋１２は開口端１２ｂ側から蛇腹状等に折り畳まれて（または巻き取られて）収納されていたため、引き出された防煙袋１２は既に引き伸ばされた状態となっている。そして避難者は防煙袋１２の開口端１２ｂを摘み１，２回上下に振ることで防煙袋の中に空気を入れる。その状態で防煙袋１２を頭部から被り、首の部分において防煙袋の開口端１２ｂを両手又は片手で絞り防煙袋の中の空気が漏れないようにすると同時に煙が防煙袋１２の中に侵入してこないようにして避難を行う。このとき防煙袋１２はほぼいっぱいに膨らんだ状態であることが好ましい。
【００２５】
本実施例の緊急避難用防煙具１０によれば、座席の座部の裏面など非常に手近な場所にコンパクトな緊急避難用防煙具を常備することで暗所などでもこれを容易に見つけることができ、またツマミ１６を引っ張るといった簡易な動作によって防煙袋１２を直ちに収納ケース１４から取り出すことができる。さらに取り出すと同時に防煙袋１２が引き伸ばされた状態となっているため煩雑な動作を伴うことなく迅速かつ適切な防煙袋１２の装着が促進される。これにより防煙袋１２を利用した迅速な避難が可能となる。
【実施例２】
【００２６】
図４は本実施例の緊急避難用防煙具を構成する防煙袋を広げた状態を示した斜視図である。なお実施例１と同様の構成については同様の符号を付すことで重複した説明を省略する。
【００２７】
この防煙袋１２は柔軟性に富んだ不燃性（難燃性）で熱による変形を起こしにくい透明樹脂からなる一端を開口（開口端１２ｂ）し、他端を閉口（閉口端１２ａ）する袋本体１３および袋本体の閉口端の中心に突起するように設けられたツマミ１６とから構成されている。
袋本体１３には実施例１とほぼ同様のものが用いられるが、袋本体の表面には、これを立体的に押し広げるための柔軟性および復元性に富んだ芯材２４が設けられている。なおこの芯材２４は外力が加わっていない時にはその復元性により袋本体１３を立体的に押し広げるが、使用者（避難者）が軽く握ることによって容易に変形する程度の柔軟性をもっている。芯材２４は合成樹脂の線材又は針金などであり、図４（ａ）に表したように袋本体１３の開口端１２ｂの縁に環状枠のように取り付けられ、あるいは図４（ｂ）に表したようにツマミ部分（後述）において交差する十字枠等の放射状枠のように取り付けられている。なお図面は省略するが環状枠および放射状枠の両方を袋本体１３に取り付けてやることも可能である。
【００２８】
図５に拡大して示すようにツマミ１６は硬質樹脂材により製作された外径が３ｃｍ程度のリング形状をしたリング部１７と、頂部にリング部が取り付けられたくさび形状をした軽量な台座部１９とからなり、リング部１７と台座部１９とは一体成型されている。
リング部１７には人の指を容易に入れられる程度の大きさの穴が形成されており、台座部１９の両斜辺（くさび型のテーパー面）には後述する収納ケース１４の係合小突起２５が係合することとなる凹溝２３が表裏面に形成されている。なおツマミ１６は、２分割した台座部１９を袋本体１３（破線）の閉口端１２ａを挟止した状態で嵌合して組み合わせることで、袋本体に取り付けられる。
【００２９】
図６は本実施例の緊急避難用防煙具１０を構成する収納ケース１４を分解した状態を示した斜視図であり、図７は防煙袋１２を収納した状態の収納ケース１４を示したＸ−Ｘ断面図である。
この収納ケース１４は実施例１の収納ケースとほぼ同様の形状を有しているが、取出口１８を形成する基部１４ａおよび蓋部１４ｂの切り欠き１８ａ部分には、上述したツマミ１６の台座部１９の凹溝２３と係合する係合小突起２５がそれぞれ形成されている。基部１４ａおよび蓋部１４ｂはそれぞれの係合小突起２５を、台座部１９の凹溝２３に係合することで組み合わされ、すなわち基部１４ａおよび蓋部１４ｂは、ツマミ１６の台座部１９を介することで組み合わされて収納ケース１４を形成する。なお係合小突起２５と凹溝２３との係合は、ツマミ１６を収納ケース１４から遠ざける方向（引き抜く方向）に引くことで容易に解除されるようになっている。
さらに基部１４ａの底面には収納ケース１４を椅子の座部の裏布などの構造物に取り付けるための着脱自在テープ３２（いわゆるマジックテープ（登録商標））が接着されている。
【００３０】
防煙袋１２は芯材２４を折り曲げないように開口端１２ｂ側から蛇腹状に折り畳まれた状態で（または巻き取られた状態で）、かつ、収納ケース１４の取出口１８から防煙袋１２のツマミ１６（リング部１７および台座部１９の頂部）が露出するようにして基部１４ａと蓋部１４ｂとの間に配置され、その後、基部１４ａおよび蓋部１４ｂの係合小突起２５を台座部１９の凹溝２３に係合させることで嵌着させた基部と蓋部との間の内部空間に収容され、すなわち収納ケース１４内に収められる。
【００３１】
以上に説明した本発明の緊急避難用防煙具１０の使用方法は上述した実施例１の緊急避難用防煙具１０の使用方法と同様であるが、取り出しの様子を示した図８に表したように、椅子（破線）の座部の裏面に取り付けられた緊急避難用防煙具を使用して避難しようとする者（避難者）がツマミ１６に指を掛けてこれを手前側に引き抜くと、係合小突起２５と凹溝２３との係合が解除されて収納ケース１４がワニ口状に開き、防煙袋１２が収納ケース１４から取り出される。収納ケース１４から取出されると同時に防煙袋１２は、芯材２４の復元力によって立体的に押し広げられることとなる。
【００３２】
本実施例の緊急避難用防煙具１０によれば、ツマミ１６を引き抜くといった簡易な動作によって防煙袋１２を直ちに収納ケース１４から取り出すことができ、さらに取り出すと同時に防煙袋１２が立体的に押し広がるため、煩雑な動作を伴うことなく迅速かつ適切に防煙袋を装着することができる。これにより防煙袋１２を利用した迅速な避難が可能となる。
【００３３】
なお本実施例ではツマミ１６を引き抜くと収納ケース１４が開く構造としたが、これは芯材２４が取り付けられた防煙袋１２の取り出しを容易化するためのもので、芯材を傷めないようであれば収納ケースを実施例１と同様に防煙袋を取出口１８から引き出して取り出す構造とすることも勿論可能である。
【実施例３】
【００３４】
本実施例の緊急避難用防煙具の収納ケースは実施例２のものと同様のものであるためその説明および図面は省略し、以下には防煙袋に関する説明を図面に基づいて行う。
【００３５】
図９に示したように芯材２４が設けられた防煙袋の基本構成は、実施例２の図４（ａ）に示したものと同様であるが、防煙袋１２の開口端１２ｂ側に防煙袋を巾着状に絞るための紐状体２６が付加され、また、開口端に避難者（使用者）の肩を覆うためのフード２８が付加されている。
【００３６】
紐状体２６は柔軟な紐であり、防煙袋１２の開口端１２ｂ側に環状の内部通路を形成するように防煙袋を折り返すとともにその一部を接着することで形成した筒状通路２７中に通されている。また、頭から防煙袋１２を被った際には、のど仏の前側となる位置で筒状通路２７からでた紐状体２６の一部が多少垂れ下がるようになっている。
使用者（避難者）は防煙袋１２を被った後に、垂れ下がった部分の紐状体２６を引っ張って防煙袋の開口端１２ｂ側を絞ることで、防煙袋内に空気を保持した状態で首に止着することができる。なお開口端１２ｂ側を絞ることで引き出された紐状体２６は、筒状通路２７内面との摩擦抵抗によりある程度の力を加えなければ筒状通路内に引き戻されることはない。
【００３７】
フード２８は、防煙袋１２を被った際に背面側となる開口端１２ｂの部分から扇型に広がって４０ｃｍ程度垂れ下がる不燃布であり、着用した際に胸元部分にスリットがくるようになっている。このフード２８は上記の紐状体２６により防煙袋１２の開口端１２ｂ側を絞った際に、避難者（使用者）の肩や腕を覆うこととなる。すなわち避難者は腕を折り畳んで胸の前で組むことで、肩および腕をフード２８内に収めることができる。
【００３８】
本実施例の緊急避難用防煙具１０では実施例１や実施例２の効果に加えて紐状体２６により防煙袋１２の開口端１２ｂを絞れるようにすることで、避難者は両手が空いた状態での避難が可能となるため、避難袋を装着していることが例えばドアの開け閉めなどの動作を阻害することを回避することができる。またフード２８を防煙袋１２に設けることで、避難時に例えば火の粉などがかかり火傷する虞が比較的高い肩や腕を保護してやることができる。
【００３９】
以上に説明したように本発明の緊急避難用防煙具によれば、使用のための煩雑な手順を省略し、その確実な使用を促進することで安全な避難を可能とすることができる。またこの緊急避難用防煙具は、構造が単純であるため製造コストが安く、低廉に提供することができる。
【００４０】
なお本発明の緊急避難用防煙具を構成する防煙袋および収納ケースの形状や構造等は、上述した実施例に記載したものに限られず発明の趣旨を逸脱しない範囲で適宜変更することができるのは勿論である。
【図面の簡単な説明】
【００４１】
【図１】実施例１の緊急避難用防煙具を構成する防煙袋を広げた状態を示した斜視図である。
【図２】実施例１の緊急避難用防煙具を構成する収納ケースを分解した状態を示した斜視図である。
【図３】実施例１の緊急避難用防煙具の縦断面図である。
【図４】実施例２の緊急避難用防煙具を構成する防煙袋を広げた状態を示した斜視図である。
【図５】実施例２の防煙袋のツマミを拡大して示した斜視図である。
【図６】実施例２の緊急避難用防煙具を構成する収納ケースを分解した状態を示した斜視図である。
【図７】実施例２の緊急避難用防煙具のＸ−Ｘ断面図である。
【図８】緊急避難用防煙具を取り出す様子を表した概念図である。
【図９】実施例３のの緊急避難用防煙具を構成する防煙袋を広げた状態を示した斜視図である。
【符号の説明】
【００４２】
１０  緊急避難用防煙具
１２  防煙袋
１２ａ  閉口端
１２ｂ  開口端
１３  袋本体
１４  収納ケース
１４ａ  基部
１４ｂ  蓋部
１６  ツマミ
１７  リング部
１８  取出口
１８ａ  切り欠き
１９  台座部
２１  フック
２３  凹溝
２４  芯材
２５  係合小突起
２６  紐状体
２７  筒状通路
２８  フード
３２  着脱自在テープ，両面テープ
【図１】
2008167989.tif 000003
【図２】
2008167989.tif 000004
【図３】
2008167989.tif 000005
【図４】
2008167989.tif 000006
【図５】
2008167989.tif 000007
【図６】
2008167989.tif 000008
【図７】
2008167989.tif 000009
【図８】
2008167989.tif 000010
【図９】
2008167989.tif 000011